(57)【要約】【課題】ＬＥＤハウジングに特別に位置決め壁を形成する必要のない、したがって余分のハウジング材料が増えることのない、設計の自由度が制限されないＬＥＤリード押さえ方法を提供する。【解決手段】複数本のリードを備えた発光ダイオード（ＬＥＤ）３０のリード３０ＬをＬＥＤハウジング１０内に設けられた複数本のバスバー１０Ｂの先端に形成されたリード案内溝にそれぞれを嵌め込んでＬＥＤ３０をＬＥＤハウジング１０内に収容し、各バスバー１０Ｂ間に形成された接触防止用の隔壁１０Ｗの一部を焼きごて４０で溶解させ、溶解した溶解樹脂１０Ｍがバスバー１０Ｂの先端のリード案内溝を埋めたら焼きごて４０による溶解を終了するようにした。【選択図】図１
2010108784.tif 000002
【特許請求の範囲】
【請求項１】
複数本のリードを備えた発光ダイオード（以下、ＬＥＤ）の前記リードをＬＥＤハウジング内に設けられた複数本のバスバーの先端に形成されたリード案内溝にそれぞれを嵌め込んで前記ＬＥＤをＬＥＤハウジング内に収容し、
前記各バスバー間に形成された接触防止用の隔壁の一部を焼きごてで溶解させ、溶解した溶解樹脂が前記バスバー先端のリード案内溝を埋めたら前記焼きごてによる溶解を終了することを特徴とするＬＥＤ照明装置のＬＥＤリード押さえ方法。
【請求項２】
複数本のリードを備えたＬＥＤの前記リードをＬＥＤハウジング内に設けられた複数本のバスバーの先端に形成されたリード案内溝にそれぞれを嵌め込んで前記ＬＥＤを前記ＬＥＤハウジング内に収容し、前記各バスバー間に接触防止用の隔壁が形成されてなるＬＥＤ照明装置において、
前記隔壁の一部が溶解してなる溶解樹脂が前記バスバー先端のリード案内溝を埋めていることを特徴とするＬＥＤ照明装置。
【請求項３】
前記ＬＥＤハウジングを前記ＬＥＤカバーで覆ったＬＥＤ照明装置であって、前記ＬＥＤの砲弾部が収容される開口部と、該砲弾部の１側面に当接して該砲弾部を支持するカバーリブとが前記ＬＥＤカバーに形成されたＬＥＤ照明装置において、
前記ＬＥＤカバーの開口部の前記カバーリブとは直径方向反対側に倒れ防止リブを形成したことを特徴とする請求項２記載のＬＥＤ照明装置。
【発明の詳細な説明】
【技術分野】
【０００１】
本発明は、自動車の室内照明に使用される発光ダイオード（ＬＥＤ）の保持に関するもので、特にＬＥＤリードを圧接しているバスバーからＬＥＤリードを外れないようにしたＬＥＤ照明装置のＬＥＤリード押さえ方法とその照明装置に関するものである。
【背景技術】
【０００２】
〈従来のＬＥＤハウジングの構成〉
図３はＬＥＤを収容した従来のハウジングを説明する図で、（正）は正面図、（側）は側面図である。
図３において、自動車の室内照明に使用されるＬＥＤ３０は下方に２本のリード３０Ｌを備えており、ＬＥＤハウジング１０内に設けられた２本のバスバー１０Ｂの先端にそれぞれ形成されたリード案内溝にリード３０Ｌを嵌め込んで、ＬＥＤ３０をＬＥＤハウジング１０内に立設させて収容している。
また、２本のバスバー１０Ｂにそれぞれ立設されたＬＥＤリード３０Ｌが互いに接触しないように、２本のバスバー１０Ｂ間に隔壁１０ＷがＬＥＤハウジング１０の底部から上方に向けてＬＥＤリード３０ＬのＬＥＤ３０近傍まで立設されている。
【０００３】
〈ＬＥＤカバーの構成〉
図４はＬＥＤを収容した図３のハウジングを覆うＬＥＤカバーを説明する側面図で、（ａ）はＬＥＤカバー、（ｂ）はＬＥＤを収容したハウジング、（ｃ）はＬＥＤを収容したハウジングをＬＥＤカバーで覆った状態をそれぞれ示している。
図４（ａ）のＬＥＤカバー２０には、ＬＥＤ３０の砲弾部（発光部）３０Ｂが収容されてそこから発光された光が通過して投光される開口部２０Ｋと、砲弾部（発光部）３０Ｂの側面を当接して砲弾部３０Ｂを支持するカバーリブ２０Ｒとが形成されている。
【０００４】
〈ＬＥＤハウジングをＬＥＤカバーで覆う構成〉
図３で説明したＬＥＤハウジング１０（図４（ｂ））を図４（ａ）のＬＥＤカバー２０で覆うことで、ＬＥＤ砲弾部３０Ｂがカバーリブ２０ＲとＬＥＤハウジング１０とで挟まれて支持され（第１支持点）、かつ、ＬＥＤ３０のリード３０ＬがＬＥＤハウジング１０内のバスバー１０Ｂに嵌め込み立設される（第２支持点）ことで、２点支持が行われ、この状態でＬＥＤハウジング１０の係合部（図示なし）とＬＥＤカバー２０の係合部（図示なし）を係止させてＬＥＤ照明装置が完成する。
【０００５】
図４（ｃ）はＬＥＤハウジング１０とＬＥＤカバー２０とが正常に係止して正常なＬＥＤ照明装置が完成した場合であるが、ＬＥＤカバー２０がＬＥＤハウジング１０へ組み付ける時にカバーリブ２０ＲがＬＥＤ砲弾部３０Ｂに干渉すると正常なＬＥＤ照明装置が得られなくなる場合が起きうる。
図５は正常なＬＥＤ照明装置が得られない原因を説明する図である。
ＬＥＤカバー２０をＬＥＤハウジング１０へ組み付ける時にカバーリブ２０ＲがＬＥＤ砲弾部３０Ｂに干渉すると、（第１支持点の）ＬＥＤ砲弾部３０Ｂが傾倒し、それまでバスバー１０Ｂに正常に立設していた（第２支持点の）ＬＥＤ３０のリード３０Ｌがバスバー１０Ｂから外れてしまうということがおき、点灯すべき時に不点灯という異常事態が生じた。
この欠点を解決するものとして、ＬＥＤハウジングに形成した位置決め壁にＬＥＤ圧接時にバスバーを突き当てることにより、ＬＥＤリードがバスバーから外れないようにした技術が開示されている（特許文献１参照）。
【特許文献１】発明協会公開技報  公技番号２００６−５０５３７４号
【発明の開示】
【発明が解決しようとする課題】
【０００６】
しかしながら、特許文献１記載の技術は、従来のＬＥＤハウジングに特別に位置決め壁を形成する必要があり、それだけ余分のハウジング材料が増えると共に成形装置も従来よりもその分複雑となり、コスト高となった。
また、バスバーを位置決め壁に突き当てるようにするため、バスバーを位置決め壁の近傍に配設する必要が生じ、設計の自由度が制限されることとなった。
【０００７】
本発明は、上記した課題を解決するもので、ＬＥＤハウジングに特別に位置決め壁を形成する必要のない、余分のハウジング材料が増えることのない、成形装置も従来のものがそのまま使用でき、設計の自由度が制限されないＬＥＤリード押さえ方法を提供することを目的としている。
【課題を解決するための手段】
【０００８】
上記目的を達成するために、第１の発明は、ＬＥＤ照明装置のＬＥＤリード押さえ方法に係り、複数本のリードを備えた発光ダイオード（以下、ＬＥＤ）の前記リードをＬＥＤハウジング内に設けられた複数本のバスバーの先端に形成されたリード案内溝にそれぞれを嵌め込んで前記ＬＥＤをＬＥＤハウジング内に収容し、前記各バスバー間に形成された接触防止用の隔壁の一部を焼きごてで溶解させ、溶解した溶解樹脂が前記バスバー先端のリード案内溝を埋めたら前記焼きごてによる溶解を終了することを特徴としている。
また、第２の発明は、ＬＥＤ照明装置に係り、複数本のリードを備えたＬＥＤの前記リードをＬＥＤハウジング内に設けられた複数本のバスバーの先端に形成されたリード案内溝にそれぞれを嵌め込んで前記ＬＥＤを前記ＬＥＤハウジング内に収容し、前記各バスバー間に接触防止用の隔壁が形成されてなるＬＥＤ照明装置において、前記隔壁の一部が溶解してなる溶解樹脂が前記バスバー先端のリード案内溝を埋めていることを特徴としている。
さらに、第３発明は、前記ＬＥＤハウジングを前記ＬＥＤカバーで覆ったＬＥＤ照明装置であって、前記ＬＥＤの砲弾部が収容される開口部と、該砲弾部の１側面に当接して該砲弾部を支持するカバーリブとが前記ＬＥＤカバーに形成された第２の発明のＬＥＤ照明装置において、前記ＬＥＤカバーの開口部の前記カバーリブとは直径方向反対側に倒れ防止リブを形成したことを特徴としている。
【発明の効果】
【０００９】
このような構成によれば、従来装置に存在していた隔壁の外側端部の樹脂を熱で溶かして、溶けた溶解樹脂１０Ｍでバスバー１０Ｂ先端を突き当てるため、余分な材料を追加することなくＬＥＤリード３０Ｌがバスバー１０Ｂから外れないようにできる。
溶解は溶解樹脂１０Ｍがバスバー１０Ｂ先端に突き当たるまでで持続されればよいので、バスバー１０Ｂの位置がどこにあっても溶解時間によって調節することができる。
【発明を実施するための最良の形態】
【００１０】
以下、本発明に係るＬＥＤリード押さえ方法について、図面に基づいて説明する。
【００１１】
〈実施の形態１〉
本発明の実施の形態１におけるＬＥＤハウジング１０を図１に示す。
図１は本発明に係るＬＥＤリード押さえ方法を実施している図で、（１）は本発明に係る方法の第１段階、（２）本発明に係る方法の第２段階、（３）本発明に係る方法の最終段階を説明する図で、各段階のそれぞれ（正）は正面図、（側）は側面図である。
図中、図３〜図５と同じ符号は同じ部材を表しているので、重複説明は省略する。この図で追加された符号は、本発明に係る方法で使用する焼きごて４０と、焼きごて４０で溶かした溶解樹脂１０Ｍである。
〈第１段階〉
第１段階（１）において、熱せられた焼きごて４０をＬＥＤハウジング１０内の２本のＬＥＤリード３０Ｌ、３０Ｌ（図（正））の間の隔壁１０Ｗに向けて外部から接近させる。
この段階では隔壁１０Ｗは熱くなっていないので溶けていない。
〈第２段階〉
焼きごて４０をさらに隔壁１０Ｗに向けて接近させることで、隔壁１０Ｗの外部側が溶け始め、溶けた樹脂は下に垂れて溶解樹脂１０Ｍとしてバスバー１０Ｂの先端近傍に堆積し始める。
〈第３段階〉
焼きごて４０をさらに隔壁１０Ｗに向けて接近させて所定時間静止させることで、隔壁１０Ｗが外部側からＬＥＤリード３０Ｌに向かって溶解が進行し、溶解樹脂１０Ｍはバスバー１０Ｂに向かって進行する。
溶解樹脂１０Ｍがバスバー１０Ｂ先端まで達して、溶解樹脂１０Ｍがバスバー１０Ｂの溝に嵌め込まれたＬＥＤリード３０Ｌが溝から外れなくなった段階で本発明の方法は終了し、焼きごて４０をＬＥＤハウジング１０から待避させる。
このように本発明によれば、従来装置に存在していた隔壁を利用してその外側端部の樹脂を熱で溶かして、溶けた溶解樹脂１０Ｍでバスバー１０Ｂ先端を突き当てるため、余分な材料を追加することなくＬＥＤリード３０Ｌがバスバー１０Ｂから外れないようにできる。溶解は溶解樹脂１０Ｍがバスバー１０Ｂ先端に突き当たるまでで持続されればよいので、バスバー１０Ｂの位置がどこにあっても溶解時間によって調節することができる。
また、溶かすのは隔壁の外側端部の樹脂であり、ＬＥＤリード３０Ｌ、３０Ｌ間の隔壁はそのまま残るので絶縁材としての効果はそのまま保たれる。
このようにしてＬＥＤ３０が組み込まれたＬＥＤハウジング１０へＬＥＤカバー２０を組み付ける場合に、仮にカバーリブ２０ＲがＬＥＤ砲弾部３０Ｂに干渉してＬＥＤ砲弾部３０Ｂが傾倒したとしても、バスバー１０Ｂに立設していたＬＥＤリード３０Ｌは溶解樹脂１０Ｍに邪魔されるので、バスバー１０Ｂから外れてしまうことはない。
【００１２】
〈実施の形態２〉
本発明の実施の形態２に係るＬＥＤカバーを図２に示す。
図２は実施の形態２に係るＬＥＤカバーを説明する図で、（ａ）はＬＥＤカバー、（ｂ）はＬＥＤを収容したハウジング、（ｃ）はＬＥＤを収容したハウジングを（ａ）のＬＥＤカバーで覆ったそれぞれの側面図である。
図２（ａ）のＬＥＤカバー２０’には、ＬＥＤ３０の砲弾部３０Ｂが収容される開口部２０Ｋと、砲弾部３０Ｂの１側面を当接して砲弾部３０Ｂを支持するカバーリブ２０Ｒと、開口部２０Ｋのカバーリブ２０Ｒとは直径方向反対側に形成された本実施の形態２に係る倒れ防止リブ２１Ｒである。
このＬＥＤカバー２０’でＬＥＤハウジング１０（図２（ｂ））を覆う場合、ＬＥＤ砲弾部３０Ｂがカバーリブ２０Ｒと干渉して傾倒しようとしても反対側にある倒れ防止リブ２１が傾倒を防止するため、結果的に図２（ｃ）に示すように、ＬＥＤ３０は傾倒しなくなり、したがってＬＥＤリード３０Ｌがバスバー１０Ｂから外れてしまうことはない。
【００１３】
なお、実施の形態２に係る倒れ防止リブ２１ＲはＬＥＤカバー側に設けていたが、ＬＥＤハウジング１０側に設けておいてもよい。
【００１４】
さらに、カバーリブ２０Ｒの長さを図２の場合よりも長く伸ばすようにすると、ＬＥＤ３０の砲弾部２０Ｂの下部を押さえるようになり、抜け方向への係止とすることができる。
【００１５】
さらに、カバーリブ２０Ｒの壁厚を薄くするとカバーリブ２０Ｒがバネ製にできるので、発生応力を低下させることができ、したがってＬＥＤ３０が大きく傾倒しなくなる。
【図面の簡単な説明】
【００１６】
【図１】本発明に係るＬＥＤリード押さえ方法を実施する図で、（１）は本発明に係る方法の第１段階、（２）本発明に係る方法の第２段階、（３）本発明に係る方法の最終段階を説明する図であり、各段階のそれぞれ（正）は正面図、（側）は側面図である。
【図２】本発明の実施の形態２に係るＬＥＤカバーを説明する図で、（ａ）はＬＥＤカバー、（ｂ）はＬＥＤを収容したハウジング、（ｃ）はＬＥＤを収容したハウジングを（ａ）のＬＥＤカバーで覆ったそれぞれの側面図である。
【図３】ＬＥＤを収容したハウジングを説明する図で、（正）は正面図、（側）は側面図である。
【図４】ＬＥＤを収容したハウジングを覆うＬＥＤカバーを説明する図で、（ａ）はＬＥＤカバー、（ｂ）はＬＥＤを収容したハウジング、（ｃ）はＬＥＤを収容したハウジングをＬＥＤカバーで覆ったそれぞれの側面図である。
【図５】正常なＬＥＤ照明装置が完成しない場合を説明する図である。
【符号の説明】
【００１７】
１０  ＬＥＤハウジング
１０Ｂ  バスバー
１０Ｍ  溶解樹脂
１０Ｗ  隔壁
２０  ＬＥＤカバー
２０’  第２の実施形態に係るＬＥＤカバー
２０Ｋ  開口部
２０Ｒ  カバーリブ
２１Ｒ  倒れ防止リブ
３０  ＬＥＤ
３０Ｂ  砲弾部（発光部）
３０Ｌ  ＬＥＤリード
４０  焼きごて
【図１】
2010108784.tif 000003
【図２】
2010108784.tif 000004
【図３】
2010108784.tif 000005
【図４】
2010108784.tif 000006
【図５】
2010108784.tif 000007